(57)【要約】      （修正有）【課題】用具の出し入れが容易でかつ収納状態が安定した保持具を備えたゴルフ用多機能オーバースコートを提供する。【解決手段】ゴルフ用多機能オーバースコート１の表面側にティーペッグ１１を差し込めるティーペッグホルダー５を設けたゴルフ用小物等を収納する小ポケット４と、グリーンフォーク１２やスコア記入用鉛筆１５等のゴルフ用具を収納する大ポケット６ と、ゴルフボール１３を収納する２個のドット釦蓋付ポケット７と、スコアカードを収納するポケット８と、ゴルフグッズを装着するために左手側前部ベルト通し下部に設けたＤカン１０と、ボールマーカー１４を吸着させて携行するために左手側前部裾のコーナーの裏側に設けた円柱状磁石９と、着用時のウエスト部の両端部を係止する手段として面ファスナー２とＭ／Ｓサイズ別の大型ドット釦３を設けてゴルフ用多機能オーバースコートを構成する。【選択図】図１
0003151649.tif 000002
【実用新案登録請求の範囲】
【請求項１】
係止手段が面ファスナー（２）と大型ドット釦（３）で構成されたオーバースコートであって、オーバースコート表面側に、
グリーンフォーク（１２）及び／又はボールマーカー（１４）ゴルフ用具収納用大ポケット（６）、
ティーペッグホルダー（５）を設けた小物収納用小ポケット（４）、
スコアカードホルダーを収納するスコアカード収納用ポケット（８）、
ゴルフボールを収納するドット釦蓋付ゴルフボール収納用ポケット（７）、
ベルト通し下部にゴルフ打数カウンターを装着するために設けたＤカン（１０）、及び、ボールマーカーを吸着するために裏側に縫いこんだ円柱状磁石（９）
を含んで構成されことを特徴とするゴルフ用多機能オーバースコート。
【考案の詳細な説明】
【技術分野】
【０００１】
本考案は、ゴルフ用具収納用大ポケットを右手側前部に１個と、その内側にティーペッグホルダーを表面側に設けた小物収納用小ポケット１個と、右手側臀部にスコアカード収納用ポケット１個と、左手側臀部にボール収納用ドット釦蓋付ポケット２個と、左手側前部ベルト通し下部にゴルフグッズを装着するためのＤカン１個と、ボールマーカーを吸着させるために左手側前部裾のコーナーの裏側に縫い込んだ円柱状磁石１個を設けたゴルフ用多機能オーバースコートに関するものである。
【背景技術】
【０００２】
従来、ゴルフボール、ボールマーカー、グリーンフォーク、日焼け止めクリーム等小物を収納する小物入れケースやポーチ、ボールを収納するボールケース、ティーペッグを差し込む形のティーペッグホルダー等それぞれ個別には存在していた。
【０００３】
実用新案登録第３１１１９９０号公報には、身体の動きを阻害することなく、種々の小物の分類収納と一括携帯を可能とし、また汚れ防止機能をも有する特にゴルフ用に適したエプロンが開示されている。
このエプロンは、衣服の上から身体に装着されるエプロン１であって、ウェストから膝上２０ｃｍ位までの身体の部分を囲む本体２と、該本体２を身体に着脱自在に装着するための係止手段６１、６２と、前記本体２に取り付けられた少なくとも３つのポケット３、４、５とを具備している。
【先行技術文献】
【特許文献】
【０００４】
【特許文献１】実用新案登録第３１１１９９０号公報
【考案の概要】
【考案が解決しようとする課題】
【０００５】
これらは次のような欠点があった。ズボン又はスカートのベルト通しにボールマーカーやグリーンフォーク等小物を収納する小物入れケース、ボールケース、ティーペッグホルダー等いくつも吊り下げてプレーする時にゴルフ用具の出し入れに手間がかかった。更に、ショット時において、吊り下げられた小物入れケース、ボールケース、ティーペッグホルダー等ケースやホルダーが身体の動きに沿って揺れて気になるため、プレーに集中できない欠点があった。又、ポーチ等も常に置忘れや紛失に気を付けなくてならずプレーに集中できない欠点があった。本考案は以上のような欠点を無くすためになされたものである。
【課題を解決するための手段】
【０００６】
ゴルフ用多機能オーバースコート本体（１）に於いて、グリーンフォーク（１２）、ボールマーカー（１４）、スコア記入用鉛筆（１５）等のゴルフ用具を収納する大ポケット(６) と、表面側にティーペッグ（１１）を差し込めるティーペッグホルダー（５）を設けた小物等を収納する小ポケット（４)と、スコアカードを収納するポケット（８）と、ゴルフボール（１３）を収納するドット釦蓋付ポケット(７)２個と、ゴルフグッズを装着するためのＤカン（１０）と、ボールマーカー（１４）を吸着させるために裏側に設けた円柱状磁石（９）と、着用時のウエスト部の両端部を係止する手段として面ファスナー（２）とＭ／Ｓサイズ別大型ドット釦(３)とで構成する。
係止手段は、面ファスナー(２)とＭ／Ｓサイズ別大型ドット釦(３)からなり、ゴルフ用多機能オーバースコート本体(1)の一方の端部の表側と他方の端部の裏側にそれぞれ取り付けられる。
【考案の効果】
【０００７】
ゴルフ用多機能オーバースコートの表面側に、ゴルフ用具、小物、グリーンフォーク、ボールマーカー、ティーペッグ、ゴルフボール、スコアカード、スコア記入用鉛筆等を収納するために５個のゴルフ用具収納用ポケットとグッズ装着用のＤカン１個と、ボールマーカーを吸着させて携行するために左手側前部裾のコーナーの裏側に円柱状磁石１個が設けられているで、ズボン又はスカートの上に重ねて着用するだけでプレー時に必要なゴルフ用具は一括して携行できるのでプレー時間の短縮化を図ることができると共にプレーにも集中できる。
【考案を実施するための最良の形態】
【０００８】
以下、本考案を実施するための最良の形態について説明する。
ゴルフ用多機能オーバースコート(1)の右手側前部の大ポケット（６）にはグリーンフォーク（１２）やボールマーカー（１４）、スコア記入用鉛筆（１５）等ゴルフ用具を収納し、その内側に設けた小ポケット（４）にはバンドエイドや日焼け止めクリーム等小物を収納し、又その小ポケット（４）の表面側に設けたティーペッグホルダー（５）にはティーペッグ（１１）を最大５本まで差し込み、右手側臀部のポケット(８)にはスコアカードホルダーを収納し、左手側臀部に設けた２個のドット釦蓋付ポケット（７）にはゴルフボール（１３）を収納し、左手側前部ベルト通し下部に設けたＤカン（１０）にスコアカウンター等ゴルフグッズを装着し、左手側前部裾のコーナーの裏側に設けた円柱状磁石（９）によりボールマーカー（１４）を吸着させる。これらによりプレーに必要なゴルフ用具は一括して携行できる。
本考案は、以上のような構造である。
これを使用する時は、ズボン又はスカートの上に重ねて着用する。
ウエストの係止は面ファスナー（２）とＭ／Ｓサイズ別の大型ドット釦（３）で係止すればよい。
【符号の説明】
【０００９】
１  ゴルフ用多機能オーバースコート本体
２  面ファスナー
３  大型ドット釦
４  小物収納用小ポケット
５  ティーペッグホルダー
６  ゴルフ用具収納用大ポケット
７  ドット釦蓋付ゴルフボール収納用ポケット
８  スコアカード収納用ポケット
９  円柱状磁石
１０  Ｄカン
１１  ティーペッグ
１２  グリーンフォーク
１３  ゴルフボール
１４  ボールマーカー
１５  スコア記入用鉛筆
【図面の簡単な説明】
【００１０】
【図１】本考案に係るオーバースコートの正面図である。
【図２】本考案に係るオーバースコートの背面図である。
【図３】本考案に係るオーバースコートの右側面図である。
【図４】本考案に係るオーバースコートの左側面図である。
【図５】本考案に係るオーバースコートの平面図である。
【図６】本考案に係るオーバースコートの底面図である。
【図７】本考案に係るオーバースコートの正面図であって、構成部材を示したものである。
【図８】本考案の着用時の正面斜視図である。図に付した番号は、参考図１と同じである。
【図９】本考案の着用時の背面斜視図である。図に付した番号は、参考図１と同じである。
【図１０】本考案の着用時の正面写真である。
【図１１】本考案の着用時の背面写真である。
【図１２】本考案の着用時の右側面写真である。
【図１３】本考案の着用時の左側面写真である。
【図７】
0003151649.tif 000003
【図１】
0003151649.tif 000004
【図２】
0003151649.tif 000005
【図３】
0003151649.tif 000006
【図４】
0003151649.tif 000007
【図５】
0003151649.tif 000008
【図６】
0003151649.tif 000009
【図８】
0003151649.tif 000010
【図９】
0003151649.tif 000011
【図１０】
0003151649.tif 000012
【図１１】
0003151649.tif 000013
【図１２】
0003151649.tif 000014
【図１３】
0003151649.tif 000015